(57)【要約】【課題】  浴槽内で運動する浴室装置において、入浴者に継続的に運動させることができる浴室装置を提供する。【解決手段】  第一の浴槽壁面と、前記第一の浴槽壁面に対向して設けられた第二の浴槽壁面と、を有する浴槽と、前記第二の浴槽壁面に設けられ、前記浴槽に入浴する入浴者の足裏に噴流を吐水する吐水部と、前記吐水部に接続され、前記吐水部から吐水される噴流の水量を調節する吐水駆動部と、前記吐水駆動部を制御する制御部と、前記浴槽近傍に設けられた酸素を供給する酸素供給部と、を備え、前記制御部は、前記吐水駆動部を制御して前記入浴者の脚部を屈曲させる強さの噴流を前記吐水部から間欠的に吐水させ、前記酸素供給部は、前記浴槽内に酸素を供給することを特徴とする浴室装置が提供される。【選択図】  図１
2010220640.tif 000002
【特許請求の範囲】
【請求項１】
第一の浴槽壁面と、
前記第一の浴槽壁面に対向して設けられた第二の浴槽壁面と、
を有する浴槽と、
前記第二の浴槽壁面に設けられ、前記浴槽に入浴する入浴者の足裏に噴流を吐水する吐水部と、
前記吐水部に接続され、前記吐水部から吐水される噴流の水量を調節する吐水駆動部と、
前記吐水駆動部を制御する制御部と、
前記浴槽近傍に設けられた酸素を供給する酸素供給部と、
を備え、
前記制御部は、前記吐水駆動部を制御して前記入浴者の脚部を屈曲させる強さの噴流を前記吐水部から間欠的に吐水させ、
前記酸素供給部は、前記浴槽内に酸素を供給する
ことを特徴とする浴室装置。
【請求項２】
前記酸素供給部は、前記吐水部よりも上流側に設けられ、
前記吐水部から吐水される噴流に酸素を供給する
ことを特徴とする請求項１に記載の浴室装置。
【請求項３】
前記浴室装置は、
前記酸素供給部で供給された酸素を水に溶解させるための酸素溶解部を設け、
前記酸素供給部は、前記吐水駆動部よりも上流側に配置され、
前記酸素溶解部は、前記酸素供給部よりも下流側、かつ前記吐水駆動部よりも上流側に配置された
ことを特徴とする請求項１または２に記載の浴室装置。
【請求項４】
前記酸素供給部は、前記酸素を噴出するための酸素噴出部を備え、
前記酸素噴出部は、
前記第一の浴槽壁面近傍に配置される
ことを特徴とする請求項１乃至３のいずれか一項に記載の浴室装置。
【発明の詳細な説明】
【技術分野】
【０００１】
本発明は、足を屈曲させる強さの噴流を間欠的に吐水部から吐水させる浴室装置に対し、特に浴水中に酸素を溶解し、温熱効果や保湿効果を高めるのに好適な浴槽内酸素供給に関する発明である。 
【背景技術】
【０００２】
従来、浴槽内で機械的なステッパー装置を用いて踏み込み運動を行う器具がある（例えば、特許文献１参照）。しかし、特許文献１のような装置では、浴槽内に設置した器具のメンテナンスを行う必要があり、また、自発的な訓練を行わなくてはならないため運動の継続性に疑問が残る。さらに、入浴中は湯気による息苦しさが生じ、静水圧によって肺呼吸への負担も大きくなっているため、自発的な運動を行うとさらに心肺機能への負担が大きくなる問題があった。
【０００３】
浴槽内で自然な入浴姿勢をとった入浴者の足裏に噴流を与えマッサージを行う器具もある（例えば、特許文献２参照）。しかし、特許文献２のような装置では、足を噴流で動かすことができるほどの噴流力を確保できず、足裏へのマッサージを行うことでの効果しか生まれないため、運動効果や新陳代謝の向上を行うことはできない。
【０００４】
皮膚呼吸を楽にしたり、温熱効果を高めたり、皮膚の保湿効果を高めたりする目的で、浴水内に酸素を溶解する浴槽酸素溶解システムが考えられている（例えば、特許文献３参照）。
【先行技術文献】
【特許文献】
【０００５】
【特許文献１】特開２００３−２３６０１４号公報（第１頁、第１図）
【特許文献２】特開２００５−２８７５４１号公報（第１頁、第１図）
【特許文献３】特開２００６−１８１２９０号公報（第１頁、第１図）
【発明の概要】
【発明が解決しようとする課題】
【０００６】
本発明は、上記問題を解決するためになされたもので、本発明の課題は、浴槽内で運動を行う浴室装置において、持続性を高め、心肺機能への負担を減らし、運動の効率を高めることである。
【課題を解決するための手段】
【０００７】
上記目的を達成するために請求項１記載の発明によれば、第一の浴槽壁面と、前記第一の浴槽壁面に対向して設けられた第二の浴槽壁面と、を有する浴槽と、前記第二の浴槽壁面に設けられ、前記浴槽に入浴する入浴者の足裏に噴流を吐水する吐水部と、前記吐水部に接続され、前記吐水部から吐水される噴流の水量を調節する吐水駆動部と、前記吐水駆動部を制御する制御部と、前記浴槽近傍に設けられた酸素を供給する酸素供給部と、を備え、前記制御部は、前記吐水駆動部を制御して前記入浴者の脚部を屈曲させる強さの噴流を前記吐水部から間欠的に吐水させ、前記酸素供給部は、前記浴槽内に酸素を供給することを特徴とする浴室装置を提供することができる。
【発明の効果】
【０００８】
本発明によれば、静水圧による心肺機能への負担や入浴者の息苦しさの軽減を行った状態で、効率的な有酸素運動を行うことができ、健康促進を図ることができる。
【図面の簡単な説明】
【０００９】
【図１】本発明の一実施例による浴室装置を示す側面図である。
【図２】本発明の一実施例による浴室装置を示す概略平面図である。
【図３】本発明の浴室装置の配置実施例を示す図である。
【図４】本発明の浴室装置の配置実施例を示す図である。
【図５】本発明の酸素噴出量の制御実施例を示す図である。
【発明を実施するための形態】
【００１０】
第一の発明は、第一の浴槽壁面と、前記第一の浴槽壁面に対向して設けられた第二の浴槽壁面と、を有する浴槽と、前記第二の浴槽壁面に設けられ、前記浴槽に入浴する入浴者の足裏に噴流を吐水する吐水部と、前記吐水部に接続され、前記吐水部から吐水される噴流の水量を調節する吐水駆動部と、前記吐水駆動部を制御する制御部と、前記浴槽近傍に設けられた酸素を供給する酸素供給部と、を備え、前記制御部は、前記吐水駆動部を制御して前記入浴者の脚部を屈曲させる強さの噴流を前記吐水部から間欠的に吐水させ、前記酸素供給部は、前記浴槽内に酸素を供給することを特徴とする浴室装置である。
【００１１】
この浴室装置によれば、噴流の流れによって空気を巻き込むことができるため、浴水Ｗ中の部位において浸透圧が生じて水分浸透が促進し、浴水中の酸素が角質内天然保湿因子（ＮＭＦ）や角質内細胞間脂質の水分保持能力を向上させる。また、皮膚呼吸を行えるので、快適度を上げ、心肺機能の負担を減らした状態で有酸素運動を効率的に行わせることができる。
【００１２】
第２の発明は、第１の発明において、前記酸素供給部は、前記吐水部よりも上流側に設けられ、
前記吐水部から吐水される噴流に酸素を供給するである。
【００１３】
この浴室装置によれば、噴流の流れによって空気を巻き込むことができるため、浴水Ｗ内に酸素を供給するのに必要となるポンプなどの酸素噴射装置を用いることなく、前記吐水部から酸素を供給することができる。そのため、酸素噴射装置のスペース、電力等を削減できる。また、酸素を噴流内に混入することで、噴流の流量は同じでも力を強く発揮することができる。すなわち、流量を少なくしても、酸素を混合することで噴流の力を保つことができる。
【００１４】
第３の発明は、第１または第２の発明において、前記浴室装置は、前記酸素供給部で供給された酸素を水に溶解させるための酸素溶解部を設け、前記酸素供給部は、前記吐水駆動部よりも上流側に配置され、前記酸素溶解部は、前記酸素供給部よりも下流側、かつ前記吐水駆動部よりも上流側に配置されたことを特徴とする浴室装置である。
【００１５】
この浴室装置によれば、噴流を弱めることなく水中に酸素を溶解させることができるため、身体の芯まで温まり、湯冷めしづらくなる。また、代謝が促進されることで、運動効果を高めることができる。
【００１６】
第４の発明は、第１乃至第３の発明において、前記酸素供給部は、前記酸素を噴出するための酸素噴出部を備え、前記酸素噴出部は、前記第一の浴槽壁面近傍に配置されることを特徴とする浴室装置である。
【００１７】
この浴室装置によれば、酸素を噴出するための酸素噴出部を設け、浴水内に供給するための酸素を第１の浴槽壁面側、すなわち、入浴者の上半身側から噴出することによって、入浴者が酸素を吸入しやすくなり、入浴による息苦しさの軽減や効率的な有酸素運動が行える。
【００１８】
図１乃至図２に表したように、本実施形態にかかる浴室装置１は、浴室ユニット６０内に設けられている。浴室ユニット６０は、防水パン６１によって床が構成されており、壁パネル６２によって壁が構成されており、天井パネル（図示せず）によって天井が構成された箱形の水密ユニットである。浴室装置１は、防水パン６１上に配置されている。
【００１９】
浴室装置１には、浴槽２が設けられている。浴槽２の形状は例えば略直方体形状であり、長手方向の一端部の内側面は、入浴者Ｍの背中ｍ１が接触する背側面（第１の浴槽壁面）２ａとなっており、長手方向の他端部の内側面は、入浴者Ｍが入浴姿勢をとったときにその足裏ｍ２が対向する足側面（第２の浴槽壁面）２ｂとなっている。また、背側面２ａと足側面２ｂとは、底面２ｅを挟んで相互に対向している。
【００２０】
浴槽２の長手方向の長さ、すなわち、浴槽２における足側面２ｂと背側面２ａとの間の長さは、標準的な体格の入浴者Ｍが入浴姿勢をとったとき、すなわち、臀部を浴槽２の底面２ｅに接触させ、背中ｍ１を浴槽２の背側面２ａに接触させ、足裏ｍ２を足側面２ｂに対向させたときに、足裏ｍ２でノズル３を覆うことができる程度の長さである。
【００２１】
浴槽２の足側面２ｂには、入浴者Ｍの足に噴流を吐水するノズル（吐水部）３が設けられている。また、浴室装置１には、噴流を生成する駆動部として、吐水駆動部であるポンプ４が設けられている。このポンプ４は、ノズル３に接続されている。なお、本願明細書において「水」という場合には、冷水のみならず、加熱されたお湯も含むものとする。ポンプ４の吸入口７は浴槽２の内部に連通されている。これにより、ポンプ４は浴槽２内から水を汲み上げ、噴流を生成して吐出する。
【００２２】
浴室装置１には、酸素供給部８が設けられている。本実施例において、この酸素供給部８はポンプ４と吐水部３の間に設けられている。例えば酸素供給部８はポンプ４と吸入口７の間に設けられていてもよい。酸素供給部８には図示しない酸素生成部と酸素放出部とがあり、酸素生成部で生成された酸素は酸素放出部から放出される。酸素を放出するには酸素を送り出すための図示しない送風装置を設ける。より好ましくは、酸素供給部８を配置した管路を通る浴水の流速によって空気を取り込む機構を用いる方法やポンプ４で生じた冷却風を利用する送風おくり部を用いる方法などを用いるのがよい。これらの方法を用いることで、送風装置を別途設ける必要がないため、送風装置のスペース、電力等を削減できる。酸素供給部８で生成される酸素量および濃度は制御部５によって制御することができるのが好ましい。
【００２３】
大噴流を生じるポンプを浴室で用いると、ポンプ内のモーターで生じる熱量が大きくなるが、防水のために密閉されたポンプ構造となっているため、その熱を逃すことが難しくなる。そのため、ポンプを冷却するためのファンを組み込むことがある。本実施例で示したポンプ４は図示しない冷却ファンを備えており、送風おくり部は、ポンプ４を冷却するための冷却風を送風おくり部を通して酸素供給部８へと送ることで酸素を浴水Ｗ内や背側酸素供給部１０に送り込むことができる。この送風おくり部を用いると、酸素供給部８に別途送風装置を設ける必要がないため、送風装置のスペース、電力等を削減できる。
【００２４】
まず、浴槽２内に水（湯）Ｗを入れた状態で、入浴者Ｍが浴槽２内に入り、入浴姿勢をとる（図１参照）。入浴者Ｍのとる入浴姿勢は、臀部を浴槽２の底面２ｅに接触させ、背中ｍ１を浴槽２の背側面２ａに接触させ、足裏ｍ２を足側面２ｂに対向させた姿勢である。そして、入浴者Ｍは、左の足裏ｍ２で左のノズル３Ｌを覆い、右の足裏ｍ２で右のノズル３Ｒを覆うように、左右の足を配置し、ノズル３から噴出される噴流を足裏で捉える初期姿勢をとる。このとき、入浴者Ｍはリラックスした状態にあり、足関節、膝関節及び股関節は脱力されているものとする。
【００２５】
この状態から、ポンプ４を作動させる。これにより、ポンプ４は、浴槽２内の水を吸入口７から汲み上げて噴流を生成し、ノズル３に対して供給する。ノズル３から吐水される流量Ｑ２の噴流が噴射されると、この噴流は入浴者Ｍの足裏ｍ２を押圧する。これにより、図４に表したように、入浴者Ｍの足関節、膝関節及び股関節が同時に屈曲し、足は背側面２ａに向かって移動する。このとき、ノズル３からの噴流は、入浴者Ｍの足部を包むように流れ場を生成するため、噴流から足部が外れないような力を足裏ｍ２に与える。これは、噴水の上にピンポン玉をのせたときに、そのピンポン玉が落ちずに噴水の略中心部で留まる現象と同じである。
【００２６】
一方、ノズル３から流量Ｑ１の噴流が噴射されると、足裏ｍ２を押圧する圧力が低下する。そのため、入浴者Ｍの足関節、膝関節及び股関節が自然に伸び、足は足側面２ｂに向かって移動する。このとき、入浴者Ｍが足裏ｍ２でノズル３を覆うように足の位置を意識的に調節することにより、足はノズル３の近傍に戻る。従って、ノズル３が吐水流量Ｑ１およびＱ２の噴流を交互に噴射することで、入浴者Ｍの足が浴槽２の長手方向に沿って往復運動する。このときの流量Ｑ１は０でもよいし、脚部が屈曲しない程度の強さの流量であっても良い。
【００２７】
従って、吐水部３Ｌ及び３Ｒが交互に水流を吐水することにより、入浴者の左右足部を浴槽２の長手方向に沿って交互に往復運動させることが可能となる。すなわち、この浴室装置は、入浴者Ｍに歩行を模した入浴ウォーキングの運動を行わせることとなる。
【００２８】
このように、噴流によって入浴者Ｍは、入浴者Ｍの足関節、膝関節及び股関節の屈曲期、および伸展期をくり返し行う屈伸運動を行う事ができ、脚部のトレーニングを行うことが可能となる。また、入浴者Ｍは、この運動によって姿勢のバランスを崩され、不安定な姿勢となる。そのため、入浴者Ｍは、無意識に全身の筋肉を働かせて姿勢を安定させようとする補償動作を行う。入浴者は、これによっても運動することができる。
【００２９】
この運動は外部から与えられる他力的な他動運動であり、入浴者の意志によって行われる自動運動ではないため、入浴者Ｍの意志力に依存する部分が少なく、長続きしやすい。また、この運動は入浴姿勢のまま行うことができるため、入浴者は、リラックスした状態で運動することができる。この結果、運動を継続しやすい。なお、「他動運動」とは、人が自分の筋力ではなく外力を利用して行う運動をいい、本願明細書においては、上述の如く姿勢を崩された場合の補償動作も含むものとする。
【００３０】
また、噴流によって、入浴者Ｍの周囲の温度境界層が常に破壊されるため、入浴者Ｍが温まり易く、入浴の温熱効果が高くなり新陳代謝が高まる。さらに、身体の暖まった状態でのトレーニングは運動効果を向上させる。このように、前述した運動を浴槽内で行うことにより、浴槽外で行う場合と比較して、より高い運動効果を得ることができる。
【００３１】
浴室装置１による運動中、入浴者Ｍには水（湯）によって静水圧が加えられており、肺呼吸の負担が大きく、また、湯気による息苦しさがある。これらを解決するために、酸素供給部８によって浴水内に酸素を供給し、皮膚呼吸を促進することで心肺機能の負担を軽減する。また、浴水内に溶解し切れなかった酸素が浴室内に放出されることによって、心肺機能の負担を軽減する。浴水から立ち上る酸素は、入浴者Ｍの鼻腔よりも下側から立ち上るため、効率的に吸入される。酸素の供給を円滑に行うことで、肺呼吸の負担を減らし、息苦しさの軽減を図れるだけでなく、酸素を供給することで有酸素運動を効率的に行うことができる。
【００３２】
図３乃至図４には本発明のほかの実施形態を示している。
【００３３】
図３の実施形態において、前述のように、浴水内に酸素を供給する酸素供給部８が設けられている。さらに、酸素供給部８で供給された酸素を浴水内に溶解させるための酸素溶解部９が設けられている。酸素溶解部９は蛇行した経路に浴水を通過させるなどして酸素を溶解させる。酸素溶解部９は、酸素が浴水中に溶解するのに十分な長さの流路を有しており、吐水部３から噴流が吐水されるまでに、十分に酸素を溶解させることができる。酸素供給部８及び酸素溶解部９は、吸入口７側を上流、吐水部３側を下流とすると、ポンプ４より上流にあることが望ましい。これにより、噴流力を落とすことなく、酸素を溶解させることができる。また、より好ましくは、浴水に酸素量や濃度を高めた空気からなる微細気泡を発生するための、微細気泡発生装置を備えるとよい。微細気泡を発生させることで、酸素が浴水中に長く滞留することになる。そのため、身体を芯から温める効果が得られ、代謝が向上し、運動効果も高められる。
【００３４】
酸素供給部８から供給される酸素は、入浴者Ｍの上半身側である第１の浴槽壁面やその近傍から噴出されると、入浴者Ｍが肺呼吸によって酸素を取り入れやすくなり、有酸素運動を効率的に行うことができる。
【００３５】
図４の実施形態において、酸素供給部８は、酸素を第１の浴槽壁面側と第２の浴槽壁面側の両側から酸素を供給するために、酸素放出部への流路を分岐させている。分岐させた流路の一方は、図１や図３で示した実施例と同様に噴流の吐水部から酸素を供給している。もう一方の流路は、入浴者Ｍの上半身側から酸素を供給するため、第１の浴槽壁面近傍に設けられた背側酸素噴出部１０に接続されている。背側酸素噴出部１０は、第１の浴槽壁面近傍から浴水Ｗ内に酸素を噴出させ、浴水Ｗ内に溶解し切れなかった酸素が浴水Ｗ面から湯気と共に立ち上ることで、入浴者Ｍに酸素を吸入させる。また、浴水Ｗ外の第１の浴槽壁面近傍に背側酸素噴出部１０を設け、噴出した酸素を入浴者Ｍが直接吸入できるようにしてもよい。これにより、第２の浴槽壁面側から浴水Ｗ内に酸素を供給し、第１の浴槽壁面側の背側酸素噴出部１０から入浴者Ｍに酸素を供給することで、効率的な有酸素運動を行うことができる。
【００３６】
酸素供給部８と酸素供給を行うための背側酸素噴出部１０があり、浴水Ｗ内の第１の浴槽壁面近傍に酸素噴出部１０が設けられる。これにより、浴水Ｗ内に酸素を供給することができ、皮膚呼吸が行えることで肺呼吸の負荷を軽減すると共に、浴水Ｗ内に溶解し切れなかった酸素が浴水Ｗ面から湯気と共に立ち上ることで、入浴者Ｍに効率よく吸入させることができ、効率的な有酸素運動が行える。
【００３７】
図５は、本発明の一実施形態に係る浴室装置の、吐水量と酸素供給量の関係を示す図である。図５（ａ）の実施形態について、酸素供給制御の具体例を示す。
【００３８】
図５（ａ）におけるＴ１時間では、間欠的な噴流吐水とそれに伴った運動を行っていない。このときには、通常の入浴と変わらない状態であり、酸素の供給は行われていない。ｔ１において、間欠的な噴流の吐水とそれに伴った運動が開始されると、運動を行っている間（Ｔ２）は、酸素供給部８から一定濃度の酸素が供給される。ｔ２において、間欠的な噴流の吐水が停止すると同時に酸素供給部８からの酸素の供給も停止する。この制御によって、浴室装置１による有酸素運動を効率よく行うことができる。
【００３９】
図５（ｂ）、（ｃ）、（ｄ）では、本実施形態にかかる酸素供給の変形例を示す。
【００４０】
図５（ｂ）におけるＴ１時間では、間欠的な噴流の吐水とそれに伴った運動を行っていない。このときには、通常の入浴と変わらない状態であり、酸素の供給は行われていない。ｔ１において、間欠的な噴流の吐水とそれに伴った運動が開始されると、運動を行っている間（Ｔ２）は、酸素供給部８から一定濃度の酸素が供給される。ｔ２において、間欠的な噴流の吐水が停止しても一定時間（Ｔ３）は酸素供給部８から一定濃度の酸素供給が行われ、一定時間が経過したとき（ｔ３）、酸素供給部８からの酸素供給が停止する。この制御によって、運動後にも酸素を供給することができ、乳酸値や心拍数を下げることで、体力回復を図ることができる。
【００４１】
図５（ｃ）におけるＴ１時間では、間欠的な噴流の吐水とそれに伴った運動を行っていない。この状態で、入浴者Ｍが入浴する前、もしくは入浴者Ｍが入浴した後であり、噴流による運動を行っていないときにスイッチや人感センサなどによって入力信号が入ったときから、酸素供給部８から一定の酸素量や濃度の酸素供給を行う。ｔ１において、間欠的な噴流の吐水とそれに伴った運動が開始されても、運動を行っている間（Ｔ２）は、Ｔ１と同様に酸素供給部８から一定濃度の酸素が供給される。ｔ２において、間欠的な噴流の吐水が停止しても一定時間（Ｔ３）は酸素供給部８から一定濃度の酸素供給が行われ、一定時間が経過したとき（ｔ３）、酸素供給部８からの酸素供給が停止する。この制御によって、運動前にも酸素を供給することができ、浴室内雰囲気の酸素量や濃度が高まった状態で運動を開始できるため、効率的な有酸素運動を行うことができる。
【００４２】
図５（ｄ）におけるＴ１時間では、間欠的な噴流の吐水とそれに伴った運動を行っていない。このときには、通常の入浴と変わらない状態であり、酸素の供給は行われていない。ｔ１において、間欠的な噴流の吐水とそれに伴った運動が開始されると、運動を行っている間（Ｔ２）は、酸素供給部８から酸素が供給される。このときの酸素量や濃度は制御部５によって制御される。ｔ２において、間欠的な噴流吐水が停止した後、一定時間（Ｔ３）は酸素供給部８から酸素供給が行われ、このときの酸素量や濃度も制御部５によって制御されている。一定時間が経過したとき（ｔ３）、酸素供給部８からの酸素供給が停止する。この制御によって、入浴者Ｍの運動状態や生体状態における最適な酸素を供給することができる。
【００４３】
酸素供給部８から供給される酸素量や濃度は、制御部５によって制御され、その制御因子は噴流の噴射回数や運動時間であったり、入浴者Ｍの心拍数や血圧であったり、浴室内雰囲気の酸素量や濃度であったり、また、それらの組み合わせであったりする。噴流の噴射回数や運動時間は、制御部５によって計測される。また、入浴者Ｍの心拍数や血圧は、入浴者Ｍの身体に取り付けたセンサから得ることもできるし、浴槽にセンサを取り付けてもよい。浴室内雰囲気の酸素量や濃度は、浴室内に取り付けられたセンサから得ることができる。噴流の噴射回数や運動時間によって酸素量や濃度を制御すると、例えば、噴流の噴射回数や運動時間が高くなったことで運動強度が高まったときに、酸素量や濃度をあげて有酸素運動を効率的に行うことができる。また、心拍数や血圧といった入浴者の生体データによって酸素量や濃度を制御すると、例えば、心拍数や血圧の上昇に対して酸素量や濃度を高めることで、息苦しさや肺呼吸の負担を軽減することができる。
【符号の説明】
【００４４】
１  浴室装置、  ２ 浴槽、  ２ａ 足側面、  ２ｂ 背側面、  ２ｅ  底面、  
３  ノズル、  ３Ｒ  右ノズル、  ３Ｌ  左ノズル、  ４ ポンプ、  ５ 制御部、  
６  リム、  ７ 吸入口、  ８  酸素供給部、  ９  酸素溶解部、  １０  背側酸素噴出部
６０  浴室ユニット、  ６１  防水パン、  ６２  壁パネル、  
Ｍ  入浴者、  ｍ１  背中、  ｍ２  足裏、  Ｗ   水
【図１】
2010220640.tif 000003
【図２】
2010220640.tif 000004
【図３】
2010220640.tif 000005
【図４】
2010220640.tif 000006
【図５】
2010220640.tif 000007